(57)【特許請求の範囲】
【請求項１】
ランプ点灯回路等の回路ブロックを搭載する器具本体と、前記回路ブロックを覆うようにして前記器具本体に取着される本体カバーと、管状のランプを着脱自在でかつ弾性的押圧により支持するものであって前記本体カバーに取着されるランプホルダと、を有する照明器具において、前記ランプホルダに、ランプに対応する方向へ突出する複数の突起を形成し、該突起の先端部を、ランプと点接触させることによりランプに対し滑り摩擦力を低減させる摩擦低減部としたことを特徴とする照明器具。
【発明の詳細な説明】
【０００１】
【発明の属する技術分野】
本発明は、環形や直線形等の管状のランプを支持する照明器具に関する。
【０００２】
【従来の技術】
この種の照明器具の基本的な構成の一例を図１、２に示す。この種の照明器具は、器具本体１、本体カバー６、ランプホルダ７、グローブ１１、ランプ１３等が主要な構成部材である。この例におけるランプ１３は、管径が約２０ｍｍ程度の丸形発光管を同心状に２個連結した高周波点灯二重環形蛍光ランプを用いている。
【０００３】
器具本体１は、金属製板材をプレス加工により段付き環形に形成し、表面は塗装されてなり、その表面に安定器を含むランプ点灯回路等の回路ブロック２を搭載する。回路ブロック２は、具体的には、成形絶縁板３に実装され、この成形絶縁板３がロッキングサポート４により、所定間隔をもって器具本体１に固定される。
また、器具本体１は、回路ブロック２の外方の略同心位置に、後述するグローブ１１を着脱自在に支持するための受け金具５を４個設けている。
【０００４】
本体カバー６は、これも金属製板材を絞り加工を含むプレス加工により段付き環形あるいは略椀形に形成し、表面は塗装されている。この本体カバー６の下面には、後述するランプ１３を着脱自在でかつ弾性的押圧により支持するランプホルダ７と、ランプに電力を供給するソケット８を取着している。ランプホルダ７は、ランプを着脱自在でかつ弾性的押圧により支持し得るよう、金属製薄板材をプレス加工により、ランプ１３の管体外形に対応した湾曲状に形成され、やはり表面は塗装されてなる。そして、本体カバー６は、回路ブロック２を覆うようにして器具本体１にねじ等により適宜取着される。
【０００５】
グローブ１１は、プラスチック材あるいはガラス材を一部に開口を有した大略丸箱形に形成し、さらに開口口縁に、前述した受け金具５に対応した４個の突出部１２を設けている。グローブ１１は、通常、ランプ１３をランプホルダ７に支持させた後、これを覆うように位置させ、周方向に回動させて突出部１２を受け金具５に係止させることにより照明器具が使用できる状態になる。
【０００６】
【発明が解決しようとする課題】
ところで、このような照明器具を使用していると、ランプ１３を点灯または消灯した直後に異音を発生することがある。この異音は、本体カバー６の大きさが大きくなる程、すなわち、器具本体１と本体カバー６が形成する空間の容積が大きくなる程大きくなり、そしてこれらに共鳴し易くなるように考えられる。
本願発明者らがこの異音の発生原因を究明したところ、ランプ１３の点灯による温度上昇、その後の消灯による温度低減により、ランプ１３を支持するランプホルダ７の寸法変化がランプ管体（ガラス製）の外周の寸法変化より大きくなるが（膨張、収縮するが）、その際、両者間の摩擦力により寸法変化に直ちに応じて滑らず、この滑ろうとするエネルギーが部材（特に、ランプホルダ）に変形した状態にて蓄積され、そして蓄積されたエネルギーが両者間の摩擦力を上回ったとき、相対的に両者が滑って蓄積していたエネルギーを放出し、その際に異音を発生することが分かった。従って、この蓄積されるエネルギーが大きい程、異音の音量は大きくなる。
本願発明者らは、この異音を低減させる手段として、異音を発生する現象が生じても、本体カバー６への振動伝達、その結果としての本体カバー６の共鳴を小さくするべく、図９に示すように、ランプホルダ７を防振ゴム１４を介するようにして、防振ゴム１４の材質、形状等を種々検討した。
これらによれば、相当程度の効果がみられるものの、防振ゴム１４という別部材が必要であり、組立工程も複雑化することは避けられない。
【０００７】
本発明は、上記の事情に鑑みてなしたもので、その目的とするところは、部品点数の増加や組立工程の複雑化を招くことなく、ランプとランプホルダから発生する異音の低減を可能とする照明器具を提供することにある。
【０００８】
【課題を解決するための手段】
上記の目的を達成するために、請求項１記載の発明における照明器具は、ランプ点灯回路等の回路ブロックを搭載する器具本体と、前記回路ブロックを覆うようにして前記器具本体に取着される本体カバーと、管状のランプを着脱自在でかつ弾性的押圧により支持するものであって前記本体カバーに取着されるランプホルダと、を有する照明器具において、前記ランプホルダに、ランプに対応する方向へ突出する複数の突起を形成し、該突起の先端部を、ランプと点接触させることによりランプに対し滑り摩擦力を低減させる摩擦低減部とした構成としている。
これにより、ランプホルダのランプに接触する部分の滑り摩擦抵抗が低減でき、その結果、ランプの点灯や消灯による温度変化によりランプホルダの寸法変化が生じても、ランプホルダの摩擦低減部が比較的速やかに滑ることとなり、異音の発生が防止できたり、発生したとしても従来のものに比して異音の音量を格段に小さくすることができる。また、ランプホルダのランプを支持する部分がランプ管体の周囲にバランスよく押圧させられ、安定したランプの支持ができる。
【００１３】
【発明の実施の形態】
以下、本発明の実施の形態を図面を参照して説明する。本発明の照明器具は、その基本構成は、前述した図１、２に示すものと実質的に同様のものであり、各実施形態の特徴部分は、ランプホルダの形状にある。図１，２において、ランプホルダは符号「７」としているが、発明の実施形態の説明では、実施の参考形態１の場合は「１７」、実施の参考形態２の場合は「２７」、実施の形態の場合は「３７」と読み替える。
すなわち、本発明の照明器具は、器具本体１、本体カバー６、ランプホルダ１７、２７、３７が主要な構成部材であり、照明器具として使用するには、グローブ１１、ランプ１３等の適宜部材が必要となる。以下、同様に、器具本体１は、その表面に安定器を含むランプ点灯回路等の回路ブロック２を搭載し、回路ブロック２は、成形絶縁板３に実装され、この成形絶縁板３がロッキングサポート４により、器具本体１に固定され受け金具５を設けている。本体カバー６は、その下面に、ランプホルダ１７、２７、３７と、ソケット８を設けており、器具本体１に適宜取着される。グローブ１１は、４個の突出部１２を設けており、突出部１２を受け金具５に係止させる。
【００１４】
また、ランプ１３は、管径が約２０ｍｍ程度の丸形発光管を同心状に２個連結した高周波点灯二重環形蛍光ランプを用いたもので説明する。そして、ランプホルダ１７、２７、３７は、ランプを着脱自在でかつ弾性的押圧により支持し得るよう、金属製薄板材をプレス加工により、ランプの管外形に対応した湾曲状に形成され、やはり表面は塗装されてなる。
【００１５】
［実施の参考形態１］
図３及び４は、本発明の実施の参考形態１におけるランプホルダ１７の斜視図及び側面図である。このランプホルダ１７は、ランプ１３に対し滑り摩擦力を低減させる摩擦低減部１７ｂ、１７ｂを設け、この摩擦低減部１７ｂ、１７ｂがランプ１３に接触する構成になっている。
すなわち、ランプホルダ１７は、所定幅で所定長さの長板状の金属製薄板材にて、長手方向中央の平坦な取着部１７ａ、その取着部１７ａの両側に順次延設されるランプ１３を支持する２個ずつの平坦な部分１７ｂ、１７ｂ、…（計４個）、導入部１７ｅ、１７ｅを折曲形成している。前述した平坦な部分１７ｂ、１７ｂ、…（計４個）が、この実施の形態における摩擦低減部である。取着部１７ａは、ねじあるいはリベットのような固定具１８により、本体カバー６に取着される。
【００１６】
図はランプ１３を弾性的押圧により支持した状態であるので、ランプ１３が外された状態では、ランプ１３を支持する部分、すなわち、摩擦低減部１７ｂ、１７ｂ、…は互いに近接する方向に位置している。そして、ランプ１３を取り付ける（着装）する場合、ランプ１３を導入部１７ｅ、１７ｅに当接させてそのまま押し込むか、導入部１７ｅ、１７ｅを弾性力に抗して拡げながら押し込む。ランプ１３が、導入部１７ｅと摩擦低減部１７ｂ、１７ｂの境界を通過すれば、ランプホルダ１７の弾性力により変位し、摩擦低減部１７ｂ、１７ｂ、…はランプ１３の管体の外周に線接触し、その部分を弾性的に押圧してランプ１３を支持することとなる。
【００１７】
係る状態においてランプ１３を点灯すると、ランプ１３は温度上昇していき、ランプホルダ１７もこれに応じて温度上昇し、両者はそれぞれの材質で決まる線膨張係数により寸法が変化（膨張）していく。その際、両者間には摩擦力が作用して両者は寸法変化に直ちに応じて滑らず、この滑ろうとするエネルギーが部材（特に、ランプホルダ）に変形した状態にて蓄積されるのであるが、ランプホルダ１７の摩擦低減部１７ｂ、１７ｂ、…がランプ１３に線接触しているので、その摩擦力は従来のものに比して格段に小さい。その結果、蓄積されるエネルギーが殆どないか極めて小さい状態で比較的速やかに両者は相対的に滑り（スリップ）を開始する。
【００１８】
従って、ランプ１３とランプホルダ１７間のスリップによる異音の発生が防止できたり、発生したとしても従来のものに比して変形による蓄積エネルギーが小さい分異音の音量を小さくすることができる。
また、ランプ管体の長手方向に線接触して確実なランプの支持ができる。
さらに、線接触によりランプを支持する部分が平坦な面に存在するので、ランプホルダ１７はランプ１３の管形状に対応させた湾曲部を形成せずともよいので、金型形状をシンプルにできる。
【００１９】
また、このものは、従来のものに比してランプ１３とランプホルダ１７間には空間（空気）が多く存在してこれが冷却作用をしたり、ランプ１３とランプホルダ１７とは線接触であるためランプ１３の温度がランプホルダ１７に伝わりにくくなる。その結果、ランプホルダ１７は、従来のものに比して上昇温度が抑制され、温度上昇による寸法変化が小さくなる。
【００２０】
なお、ランプ１３が丸形発光管を１個だけ使用する高周波点灯環形蛍光ランプを用いる場合も、寸法を多少変形してやればよい。また、このものは高周波点灯直線形蛍光ランプにも対応可能である。さらに、このランプホルダ１７は、図３における中心線ＣＬに対し線対象の形状としているが、一方のランプ１３を支持する部分を１個に変形することも可能である。
【００２１】
［実施の参考形態２］
図５、６は、本発明の実施の参考形態２におけるランプホルダ２７の斜視図及び側面図である。このランプホルダ２７も、ランプ１３に対し滑り摩擦力を低減させる摩擦低減部２７ｂ、２７ｂを設け、この摩擦低減部２７ｂ、２７ｂがランプ１３に接触する構成になっている。
すなわち、ランプホルダ２７は、所定幅で所定長さの長板状の金属製薄板材にて、長手方向中央の平坦な取着部２７ａ、その取着部２７ａの両側に順次延設されるランプ管体に対応した湾曲部２７ｃ、２７ｃ、導入部２７ｅ、２７ｅを折曲形成している。さらに、湾曲部２７ｃ、２７ｃの約２／３程度（ランプ管体の約１／３程度）にわたり、内方に突出する突条２７ｄ、２７ｄを形成し、その先端部を摩擦低減部２７ｂ、２７ｂとしている。
【００２２】
このもののその他の構成、ランプの着脱のしかた、作用等は、実施の参考形態１と実質的に同様であるのでその説明は省略する。
従って、このものも、ランプ１３とランプホルダ２７間のスリップによる異音の発生が防止できたり、発生したとしても従来のものに比して変形による蓄積エネルギーが小さい分異音の音量を小さくすることができる。
また、ランプ管体の周方向に線接触して確実なランプの支持ができる。
さらに、線接触によりランプを支持する部分が突出形成された先端部に存在するから、突出部（突条２７ｄ）が剛性を付与する側に作用するのでランプホルダ２７の板厚を薄くすることができる。
なお、変形例についても、実施の参考形態１と実質的に同様であるのでその説明は省略する。
【００２３】
［実施の形態］
図７、８は、本発明の実施の形態におけるランプホルダ３７の斜視図及び側面図である。このランプホルダ３７も、ランプ１３に対し滑り摩擦力を低減させる摩擦低減部３７ｂ、３７ｂを設け、この摩擦低減部３７ｂ、３７ｂがランプ１３に接触する構成になっている。
すなわち、ランプホルダ３７は、所定幅で所定長さの長板状の金属製薄板材にて、長手方向中央の平坦な取着部３７ａ、その取着部３７ａの両側に順次延設されるランプ管体に対応した湾曲部３７ｃ、３７ｃ、導入部３７ｄ、３７ｄを折曲形成している。さらに、湾曲部３７ｃ、３７ｃの適宜の２箇所に、内方に突出する突起３７ｄ、３７ｄを形成し、その先端部を摩擦低減部３７ｂ、３７ｂとしている。
【００２４】
このもののその他の構成、ランプの着脱のしかた、作用等は、線接触が点接触に替わるほかは実施の参考形態１と実質的に同様であるのでその説明は省略する。
従って、このものも、ランプ１３とランプホルダ３７間のスリップによる異音の発生が防止できたり、発生したとしても従来のものに比して変形による蓄積エネルギーが小さい分異音の音量を小さくすることができる。
また、ランプを支持する部分３７ｂ、３７ｂをランプ管体の周囲にバランスよく押圧させられ、安定したランプの支持ができる。
なお、変形例についても、実施の参考形態１と実質的に同様であるのでその説明は省略する。
また、ランプ１３が天井面や壁面等より奥まった位置に存在するような照明器具にあっては、グローブ１１を省略するものもある。
【００２５】
【発明の効果】
請求項１記載の発明における照明器具によれば、ランプホルダのランプに接触する部分の滑り摩擦抵抗が低減でき、その結果、ランプの点灯や消灯による温度変化によりランプホルダの寸法変化が生じても、ランプホルダの摩擦低減部が比較的速やかに滑ることとなり、異音の発生が防止できたり、発生したとしても従来のものに比して異音の音量を格段に小さくすることができる。また、ランプホルダのランプを支持する部分がランプ管体の周囲にバランスよく押圧させられ、安定したランプの支持ができる。
【図面の簡単な説明】
【図１】  本発明の照明器具に係る基本構成を示す分解斜視図である。
【図２】  同上の一部模式的に示す要部断面図である。
【図３】  本発明の実施の参考形態１に係る要部斜視図である。
【図４】  同上の要部側面図である。
【図５】  本発明の実施の参考形態２に係る要部斜視図である。
【図６】  同上の要部側面図である。
【図７】  本発明の実施の形態に係る要部斜視図である。
【図８】  同上の要部側面図である。
【図９】  従来例の要部断面図である。
【符号の説明】
１  器具本体
２  回路ブロック
６  本体カバー
（７）、１７、２７、３７  ランプホルダ
８  ソケット
１１  グローブ
１３  ランプ
１７ａ、２７ｂ、３７ｂ  ランプホルダの取着部
１７ｂ、２７ｂ、３７ｂ  ランプホルダの摩擦低減部
２７ｃ、３７ｃ  ランプホルダの湾曲部
２７ｄ  ランプホルダの突出部（突条）
３７ｄ  ランプホルダの突起
１７ｅ、２７ｅ、３７ｅ  ランプホルダの導入部
ＣＬ  ランプホルダの中心線
【図１】
0004399988.tif 000002
【図２】
0004399988.tif 000003
【図３】
0004399988.tif 000004
【図４】
0004399988.tif 000005
【図５】
0004399988.tif 000006
【図６】
0004399988.tif 000007
【図７】
0004399988.tif 000008
【図８】
0004399988.tif 000009
【図９】
0004399988.tif 000010